(57)【要約】【課題】軟式スクリーンを制御器から分離して巻いて収納ケースに入れて携帯可能な軟式ディスプレーシステムを提供する。【解決手段】透明下敷き層１１と軟性回路層１２と現像層１３とから構成される軟式スクリーン１０と、軟性回路層１２と接続している信号伝送機器２１を有する制御器２０と、信号伝送機器２１と接続しているコンピュータ応用インターフェース４１を有し、入力制御機器３０により、入力された文字や図形に相応な信号が発生され、信号は処理された後、コンピュータ応用インターフェース４１にて変換されて信号伝送機器２１を介して軟式回路層１２に伝送され、上記入力された文字や図形と同様な文字や図形が軟式スクリーン１０の現像層１３に表示されるコンピュータ４０と、を有する。【選択図】図２
0003135344.tif 000002
【実用新案登録請求の範囲】
【請求項１】
透明下敷き層と軟性回路層と現像層とを有する軟式スクリーンと、
前記軟性回路層と接続している信号伝送機器を有する制御器と、
前記信号伝送機器と接続しているコンピュータ応用インターフェースを有し、入力制御機器により、入力された文字や図形に相応な信号が発生し、前記信号は、処理された後、コンピュータ応用インターフェースにて変換されて前記信号伝送機器を介して軟式回路層に伝送され、前記入力された文字や図形と同様な文字や図形が軟式スクリーンの現像層に表示されるコンピュータと、
を備えることを特徴とする軟式ディスプレーシステム。
【請求項２】
前記軟式スクリーンは、前記現像層の外側に位置し、保護層がカバーしてあることを特徴とする請求項１に記載の軟式ディスプレーシステム。
【請求項３】
前記軟式スクリーンの軟式回路層は、受信回路と、現像回路とを有し、前記受信回路は、前記入力制御機器からの信号を受信し、前記現像回路は、前記入力制御機器から伝送されてきた信号を前記現像層に現像することを特徴とする請求項１に記載の軟式ディスプレーシステム。
【請求項４】
前記軟式回路層の受信回路はタッチ受信回路であることを特徴とする請求項３に記載の軟式ディスプレーシステム。
【請求項５】
前記軟式回路層の受信回路は、入力制御機器から伝送されてきた無線信号を受信するための無線受信回路であることを特徴とする請求項３に記載の軟式ディスプレーシステム。
【請求項６】
前記軟式スクリーンには、前記軟式スクリーンを壁面に掛けるための吊上部が設けてあることを特徴とする請求項１に記載の軟式ディスプレーシステム。
【請求項７】
前記制御器の信号伝送機器は、信号伝送ケーブルを介してコンピュータと接続していることを特徴とする請求項１に記載の軟式ディスプレーシステム。
【請求項８】
前記制御器の信号伝送機器は、無線素子にてコンピュータと交信可能であることを特徴とする請求項１に記載の軟式ディスプレーシステム。
【請求項９】
透明下敷き層と軟性回路層と現像層とを有する軟式スクリーンと、
前記軟性回路層と接続している信号伝送機器を有する制御器と、
前記信号伝送機器と接続しているコンピュータ応用インターフェースを有し、ある信号がコンピュータ応用インターフェースにて変換されて信号伝送機器を介して軟式回路層に伝送された後、文字や図形などの映像を軟式スクリーンの現像層に表示するコンピュータと、
を備えることを特徴とする軟式ディスプレーシステム。
【請求項１０】
前記制御器の信号伝送機器は、信号伝送ケーブルを介してコンピュータと接続していることを特徴とする請求項９に記載の軟式ディスプレーシステム。
【請求項１１】
前記制御器の信号伝送機器は、無線素子にてコンピュータと交信可能であることを特徴とする請求項９に記載の軟式ディスプレーシステム。
【考案の詳細な説明】
【技術分野】
【０００１】
本考案は、軟式ディスプレーシステム、特に軟式スクリーンを現像装置とし、これを巻いてユーザーは収納可能な軟式ディスプレーシステムに関するものである。
【背景技術】
【０００２】
目下、パーソナル報告システムに適用される電子白板は、機能が従来の白板より遥かに優れるので、市場において占める率が急速に上昇している。しかし、このような電子白板の表示パネルは極めて重いので、強固なフレームにより表示パネルを固定し、又は表示パネルを壁面に固定することが必要である。従来の電子白板の表示パネルの重さは約３０〜５０キログラムであるので、取付作業は極めて不便であり、且つ取付作業が不確実であり、又は長期間にわたって使用された場合には、固定が緩んで表示パネルが落下することがあった。
また、重い固定式の電子白板は、携帯して自由に移動することができず、使用場所ごとに電子白板を取り付けることが必要であるため、設備購入費が膨大で、且つ取付代も高く、電子白板は広汎に普及していない。
【考案の開示】
【考案が解決しようとする課題】
【０００３】
本考案の主な目的は、使用が終了したときに、軟式スクリーンを制御器から分離して巻いて収納ケースに入れた後、ユーザの身の回りに携帯可能な軟式ディスプレーシステムを提供することにある。
【課題を解決するための手段】
【０００４】
上記目的を達成するためになされた本考案は、透明下敷き層と軟性回路層と現像層とから構成される軟式スクリーンと、前記軟性回路層と接続している信号伝送機器を有する制御器と、前記信号伝送機器と接続しているコンピュータ応用インターフェースを有し、入力制御機器により、入力された文字や図形に相応な信号が発生され、そして前記信号は、処理された後、コンピュータ応用インターフェースにて変換されて信号伝送機器を介して軟式回路層に伝送され、上記入力された文字や図形と同様な文字や図形が軟式スクリーンの現像層に表示されるコンピュータと、を有することを特徴とする軟式ディスプレーシステムであることを要旨としている。
【０００５】
前記軟式スクリーンは、前記現像層の外側に位置され、その上で保護層がカバーしてあってもよい。
前記軟式スクリーンの軟式回路層は、受信回路と、現像回路とを有し、前記受信回路は、前記入力制御機器からの信号を受信するためのものであり、前記現像回路は、前記入力制御機器から伝送されてきた信号を前記現像層に現像するためのものであってもよい。
【０００６】
前記軟式回路層の受信回路はタッチ受信回路であってもよい。
前記軟式回路層の受信回路は、入力制御機器から伝送されてきた無線信号を受信するための無線受信回路であってもよい。
前記軟式スクリーンには、前記軟式スクリーンを壁面に掛けるための吊上部が設けてあってもよい。
前記制御器の信号伝送機器は、信号伝送ケーブルを介してコンピュータと接続していてもよい。
前記制御器の信号伝送機器は、無線素子にてコンピュータと交信可能であってもよい。
【０００７】
本考案では、透明下敷き層と軟性回路層と現像層とから構成される軟式スクリーンと、前記軟性回路層と接続している信号伝送機器を有する制御器と、前記信号伝送機器と接続しているコンピュータ応用インターフェースを有し、ある信号がコンピュータ応用インターフェースにて変換されて信号伝送機器を介して軟式回路層に伝送された後、文字や図形などの映像が軟式スクリーンの現像層に表示されるコンピュータと、を有することを特徴とする軟式ディスプレーシステムであることを要旨としている。
前記制御器の信号伝送機器は、信号伝送ケーブルを介してコンピュータと接続していてもよい。
前記制御器の信号伝送機器は、無線素子にてコンピュータと交信可能であってもよい。
【０００８】
（考案の効果）
本考案の軟式ディスプレーシステムには、次のような効果がある。
（イ）使用が終了したときに、軟式スクリーンを制御器から分離し、巻いて収納ケースに入れてユーザは携帯可能である。
（ロ）重量が極めて軽い。
（ハ）壁面などに掛けることにより、軟式スクリーンが展開されるようになり、操作が極めて便利で容易であり、ベテランでなくても容易に取り付けることができる。
【考案を実施するための最良の形態】
【０００９】
以下、添付図面を参照して本考案の一実施例を詳細に説明する。
まず、図１から図５を参照する。本考案の一実施例による軟式ディスプレーシステムは、透明下敷き層１１と軟式回路層１２と現像層１３とから構成される軟式スクリーン１０と、前記軟式スクリーン１０と接続している信号伝送機器２１を有する制御器２０と、入力された文字や図形に相応する信号を発生するための入力制御機器３０と、前記信号伝送機器２１と接続しているコンピュータ応用インターフェース４１とを有す。ユーザが入力制御機器３０（例えば電子ペンや無線タブレットなど）により文字や図形を書いた後、入力された文字や図形に相応な信号が発生され、そして前記信号は処理された後、コンピュータ応用インターフェース４１にて変換されて信号伝送機器２１を介して軟式回路層１２に伝送されて、上記入力された文字や図形と同様な文字や図形が軟式スクリーン１０の現像層１３に表示されるコンピュータ４０と、を有する。
【００１０】
また、図３に示すように、本実施例の軟式ディスプレーシステムでは、前記軟式スクリーン１０は、前記現像層１３の外側に位置し、その上に保護層１４がカバーしてあり、これにより、前記軟式スクリーン１０が傷付くのを防止できる。
また、図３及び図５に示すように、本実施例の軟式ディスプレーシステムでは、前記軟式スクリーン１０の軟式回路層１２は、受信回路１２１、現像回路１２２などの多層回路を有し、前記受信回路１２１は、前記入力制御機器３０からの信号を受信するためのものであり、前記現像回路１２２は、前記入力制御機器３０から伝送されてきた信号を前記現像層１３に現像するためのものである。
【００１１】
上記軟式ディスプレーシステムでは、前記軟式回路層１２の受信回路１２１はタッチ受信回路でもよく、ユーザが現像層１３、又は前記現像層１３の外側に設けられた保護層１４の上で、入力制御機器３０（例えば電子ペンやユーザの指など）にて文字や図形を書いた後、前記軟式回路層１２の受信回路１２１で信号が発生し、前記信号は、信号伝送機器２１を介してコンピュータ４０にて処理される。その後、コンピュータ応用インターフェース４１にて変換されて信号伝送機器２１を介して軟式回路層１２の現像回路１２２に伝送され、これにより、上記入力された文字や図形と同様な文字や図形が軟式スクリーン１０の現像層１３に表示される。
【００１２】
また、本実施例の軟式ディスプレーシステムでは、前記軟式回路層１２の受信回路１２１は、入力制御機器３０（例えば電子ペンやユーザの指など）から伝送されてきた無線信号を受信するための無線受信回路でもよい。
また、本実施例の軟式ディスプレーシステムは、前記軟式スクリーン１０に前記軟式スクリーン１０を壁面などに掛けるための吊上部１５が設けてある。また、実際の取付作業は、壁面やガラスに多数の固定具１６を固定し、前記固定具１６に設けられた掛けフック１６１に、軟式スクリーン１０に設けられた吊上部１５を掛けた後、軟式スクリーン１０が展開される。上記固定具１６はよく知られた部品であるのでその説明を省略し、本考案は上記固定具１６のタイプと構成とに限定されない。
【００１３】
前記軟式スクリーン１０の吊上部１５は、貫通孔でもいいし、掛けフックでもいいし、固定具１６が直接に連接してあってもよく、本考案はこれらに限定されない。
また、本実施例の軟式ディスプレーシステムでは、前記制御器２０の信号伝送機器２１は、信号伝送ケーブル２２を介してコンピュータ４０と接続してもいいし、無線素子にてコンピュータ４０と交信可能であってもよい。
【００１４】
次に、本実施例の軟式ディスプレーシステムの使用方法を説明する。まず、当該軟式スクリーン１０を展開して制御器２０とコンピュータ４０とを接続した後、入力制御機器３０（例えば電子ペン、ユーザの指や無線タブレットなど）にて文字や図形を書いた後、上記入力された文字や図形と同様な文字や図形が軟式スクリーン１０の現像層１３に表示される。これにより、図２に示すように、授業や会議などを実施することができ、使用が終了したときに、図４に示すように、軟式スクリーン１０を制御器２０から分離して巻いて収納ケース５０に入れて、携帯することができる。
【００１５】
本実施例の軟式ディスプレーシステムは、軟式スクリーン１０を巻いて収納可能であるので、従来のようなフレームやハウジングが必要なく、本実施例の軟式ディスプレーシステムの重量が極めて軽く、且つユーザのニーズによって相違の寸法の軟式スクリーン１０を作製することができる。そして使用が終了したときに、軟式スクリーン１０を制御器２０から分離して巻いて収納ケース５０に入れて携帯することができる。
このように、本考案は特定の例を参照して説明されたが、それらの例は、説明のためだけのものであり、本考案を限定するものではなく、この分野において通常の知識を有する者には、本考案の精神および範囲を逸脱することなく、ここで開示された実施例に変更、追加、または、削除を施してもよいことがわかる。
【図面の簡単な説明】
【００１６】
【図１】本考案の一実施例による軟式ディスプレーシステムを示す模式図。
【図２】本考案の一実施例による軟式ディスプレーシステムの使用状態を示す概略図。
【図３】本考案の一実施例による軟式ディスプレーシステムの軟式スクリーンの構造を示す断面図。
【図４】本考案の一実施例による軟式ディスプレーシステムの軟式スクリーンが巻かれて収納された状態を示す概略図。
【図５】本考案の一実施例による軟式ディスプレーシステムの操作方法の流れを示す概略図。
【符号の説明】
【００１７】
１０：軟式スクリーン、１１：透明下敷き層、１２：軟式回路層、１２１：受信回路、１２２：現像回路、１３：現像層、１４：保護層、１５：吊上部、１６：固定具、１６１：掛けフック、２０：制御器、２１：信号伝送機器、２２：信号伝送ケーブル、３０：入力制御機器、４０：コンピュータ、４１：コンピュータ応用インターフェース、５０：収納ケース
【図１】
0003135344.tif 000003
【図２】
0003135344.tif 000004
【図３】
0003135344.tif 000005
【図４】
0003135344.tif 000006
【図５】
0003135344.tif 000007